(57)【特許請求の範囲】
【請求項１】
歯科用補綴の固定具で、歯に取り付けることができ、頭（３）を設けたオス部材（１）と、歯科用補綴に取り付けることができるメス部材（４、２４）とを有し、前記メス部材（４、２４）が、内ねじ（９）と、前記オス部材の前記頭（３）を受け、これを保持するラメラ・インサート（５、２６）とを有し、前記ラメラ・インサートの保持力が、その回転によって連続的に調整可能である固定具。
【請求項２】
前記メス部材（４、２４）の、前記ラメラ・インサート（５、２６）の前記保持部分（１２）と接触する内面（１１）が、その自由端（１０）から内側へ円錐形にテーパがかかった、請求項１に記載の固定具。
【請求項３】
前記メス部材（４、２４）が、前記ラメラ・インサートの内側に配置される止め要素（１５、２１）であって、前記頭（３）の止め具として働く表面（１７）を備える止め要素（１５、２１）を有する、請求項１に記載の固定具。
【請求項４】
前記止め要素（１５）が、前記外被（１３）の自由端（１０）と反対側の端部（１９）に挿入される前板（１８）であって、後者の端壁を形成する前板（１８）を有する、請求項３に記載の固定具。
【請求項５】
前記止め要素（２１）が前記メス部材の前記外被（２３）内で摺動することができ、減衰部材（３０）が前記止め要素と前記メス部材の前記外被との間に配置される、請求項３に記載の固定具。
【請求項６】
前記止め要素（２１）が、階段状部分（２７）を有する円筒形本体と、前記外被（２３）の前記端壁（２２）の内腔（２９）の中で摺動するペグ（２８）とを有し、前記減衰部材（２０）が前記階段状部分（２７）と前記端壁（２２）との間に配置される、請求項５に記載の固定具。
【請求項７】
前記ラメラ・インサート（５、２６）が、前記ねじ部分（８）まで延在する３本のスリットと、１本の連続スリットとを有する、請求項１に記載の固定具。
【請求項８】
前記オス部材および前記メス部材およびそれらの部品が、歯科用合金または純粋なチタンから製造される、請求項１に記載の固定具。
【請求項９】
前記オス部材の前記頭（３）が球頭である、請求項１に記載の固定具。
【請求項１０】
前記オス部材の前記頭（３）の前記止め具表面（１７）が球形である、請求項３に記載の固定具。
【請求項１１】
前記オス部材の前記頭が円筒形である、請求項１に記載の固定具。
【請求項１２】
前記止め具表面が、前記オス部材の前記頭の形状に適応した形状を有する、請求項３に記載の固定具。
【発明の詳細な説明】
【０００１】
【発明の属する技術分野】
本発明は歯科用補綴の固定具に関し、これは歯に取付可能で頭を設けたオス部材と、歯科用補綴に取付可能なメス部材とを備える。
【０００２】
【従来の技術】
球頭を有するこの種の固定具は、DALBOという商品名でDr. Dalla Bonaによる弾性固定部の形態で、出願人によって市販されている。球頭を備える弾性固定具の場合、保持力を調整することが比較的困難であり、例えば特にばねを装填した球など、異なる解決策が示唆されてきた。商業的実施形態の一つでは、メス部材に薄片即ちラメラ（lamella）を設ける。
【０００３】
【発明が解決しようとする課題】
この先行技術を背景に、簡単かつ安全に調整可能な保持が獲得されるような方法で頭を備える弾性固定具を改善することが、本発明の目的である。
【０００４】
【課題を解決するための手段】
この目的は、メス部材が内ねじと、オス部材の頭を受けて保持するラメラ・インサート（lamella insert）とを備え、ラメラ・インサートの保持力がその回転によって連続的に調整可能な固定具によって達成される。本発明のさらなる開発点は、従属請求項で規定される。
本発明を、例示的実施形態に関して以下でさらに詳細に説明する。
【０００５】
【発明の実施の形態】
図１は、例えば鋳造、はんだ付け、溶接または接着などにより根冠に取り付けるためのベース２、さらに球頭３を備えるオス部材１を示す。基本的に、オス部材は任意の適切な歯科用合金から、または成形に使用する場合は、プラスチック材料から製造することができるが、パラジウムおよび銅を含まない合金で作成して、鋳造で取り付けられるようにするか、純粋なチタンから作成することが好ましい。さらに、頭は球頭である必要はなく、円筒形のような他の形状または他の賢明な形状の頭が可能である。
【０００６】
図２は、メス部材４にねじ込むようになっていて、この実施形態では３本の不連続スリット６および１本の連続スリット７を備え、その結果、４つのラメラになるラメラ・インサート５を示す。連続スリットは、ラメラ・インサート全体の圧縮に役立ち、複数のスリットはその圧縮に役立つ。ラメラ・インサートは、さらに、ねじ部分８を備え、上記の金属または合金の一つから製造される。
【０００７】
図３または図４に示すメス部材４または２４は、ねじ部分８に対応してラメラ・インサートの個々のねじを内側に曲げることができる内ねじ９を備える。ねじの内端とメス部材の自由端１０との間で、メス部材の内面１１は外面に対して円錐形であり、内径は内ねじに向かって減少する。したがって、ラメラ・インサート５の保持部分１２のラメラは、メス部材にねじ込まれると内側に曲がり、球頭に作用する保持力を連続的に調整する、つまりこの場合は増加することができる。
【０００８】
図３に示すメス部材４は、基本的に閉じたキャップの形態のハウジング即ち外被（housing）１３を備え、メス部材の外被は上述した金属または合金から製造される。外被は、さらに、重合作用または接着によって補綴に取り付けた後に、外被の固定を補助するのに役立つ円形の保持溝１４を外側に備える。外被は、さらに、回転状態で固定する切欠きまたは溝を備えてもよい。
【０００９】
外被は、さらに、球面１７を伴う円筒形本体１６を有する止め要素１５を備え、これはオス部材の球頭の止め具として働き、したがってメス部材内の球頭の精密かつ一定した位置を確保する。止め具表面は、頭の形状に適合するものであって、この例のように球形である必要はないことが理解される。図３の実施形態では、止め要素に前板１８を設け、それは個々に挿入されて外被の自由端１９の反対側の端部に押し込まれ、外被の端壁を形成する。止め要素１５は、メス部材の外被、ラメラ・インサート、またはオス部材と同じ材料から製造される。
止め要素によって、オス部材が常に正確に同じ位置でメス部材に挿入されることが保証され、ラメラ・インサートによって保持力を連続的かつ精密に調整でき、様々な状態へと精密に適応することができる。
【００１０】
図４は、メス部材とオス部材との間に作用する力を減衰することができる代替実施形態を示す。この減衰は、このような目的に適応したＯリングなどの減衰部材２０によって達成される。図３の止め要素１５とは反対に、止め要素２１の円筒形本体は、階段状部分３１と、それより直径が小さく、周囲に減衰部材２０を配置した円筒形部分２５とを備える。その結果、減衰部材は、止め要素の階段状部分とメス部材２４の外被２３の端壁２２との間に配置される。
【００１１】
ラメラ・インサート２６のねじ部分３０は、減衰部材２０に場所を空けるための窪み２７を備える。それ以外は、ラメラ・インサートの設計は以前の実施形態と同じである。球面１７と反対側の端部では、止め要素２１にペグ２８を設け、それは摺動する状態で端壁２の内腔２９に適合する。球面１７を有する止め要素２１の内側部分は、以前の例と同じである。
【００１２】
説明および図４から、減衰要素２０がオス部材の挿入時の止め具と、噛む動作の減衰部材または緩衝材との両方として働き、さらに不純物が補綴に入るのを防止する密封要素としての第３の機能も果たすことが明白である。
【図面の簡単な説明】
【図１】球頭を有するオス部材を示す。
【図２】本発明によるラメラ・インサートの斜視図を示す。
【図３】本発明のメス部材の第１の実施形態の斜視図を示す。
【図４】本発明のメス部材の第２の実施形態の斜視図を示す。
【符号の説明】
１  オス部材
２  ベース
３  球頭
４  オス部材
５  ラメラ・インサート
６  不連続スリット
７  連続スリット
８  ねじ部分
９  内ねじ
１０  自由端
１１  内面
１２  保持部分
１３  外被
１４  溝
１５  止め要素
１６  円筒形本体
１７  球面
１８  前板
１９  自由板
２０  減衰部材
２１  止め要素
２２  端壁
２３  外被
２４  メス部材
２５  円筒形部分
２６  ラメラ・インサート
２７  窪み
２８  ペグ
２９  内腔
３０  ねじ部分
【図１】
0004259711.tif 000002
【図２】
0004259711.tif 000003
【図３】
0004259711.tif 000004
【図４】
0004259711.tif 000005